(57)【要約】      （修正有）【課題】簡易な構成で点灯を確認することができるＬＥＤ表示装置を提供する。【解決手段】ＬＥＤ表示装置１Ｆは、複数のＬＥＤ４２を有するＬＥＤユニット４と、複数のＬＥＤの少なくとも一部を撮像する第一カメラ５Ａ及び第二カメラ５Ｂの少なくとも一方と、送受信装置６と、を備える。第一カメラは、第一カメラの撮像範囲に複数のＬＥＤの少なくとも一部が入るように配置されている。つまり、第一カメラは、複数のＬＥＤの少なくとも一部を直接的に撮像するように配置されている。ミラー８は、複数のＬＥＤの少なくとも一部からの光を第二カメラに向けて反射するように配置されており、第二カメラは、第二カメラの撮像範囲にミラーの少なくとも一部が入るように配置されている。つまり、第二カメラは、ミラーを介して複数のＬＥＤの少なくとも一部を間接的に撮像するように配置されている。【選択図】図７
0003233931.tif 000002
【実用新案登録請求の範囲】
【請求項１】
複数のＬＥＤを有するＬＥＤユニットと、
前記複数のＬＥＤの少なくとも一部を撮像するカメラと、を備える、
ＬＥＤ表示装置。
【請求項２】
前記カメラは、前記カメラの撮像範囲に前記複数のＬＥＤの少なくとも一部が入るように配置されている、
請求項１に記載のＬＥＤ表示装置。
【請求項３】
前記ＬＥＤユニットは平板状に形成されて、前記ＬＥＤユニットの主面に前記複数のＬＥＤが配列されており、
前記カメラは、前記ＬＥＤユニットの前記主面に沿う方向に向けられている、
請求項２に記載のＬＥＤ表示装置。
【請求項４】
前記ＬＥＤユニットの周囲の少なくとも一部に配置された庇を更に備え、
前記カメラは、前記庇に取り付けられている、
請求項２又は３に記載のＬＥＤ表示装置。
【請求項５】
前記ＬＥＤユニットを収容して前面に開口が形成された筐体を更に備え、
前記ＬＥＤユニットは、前記複数のＬＥＤが前記開口から見えるように配置されており、
前記ＬＥＤユニットと前記筐体との間に、前記ＬＥＤユニットの主面と直交する方向の隙間が形成されており、
前記カメラは、前記筐体内に配置されるとともに、前記隙間を通して、前記カメラの撮像範囲に前記複数のＬＥＤの少なくとも一部が入るように配置されている、
請求項２〜４の何れか一項に記載のＬＥＤ表示装置。
【請求項６】
前記ＬＥＤユニットは、第一方向に長い矩形状に形成されており、
前記カメラは、前記ＬＥＤユニットの前記第一方向における一方側に配置されている、
請求項２〜５の何れか一項に記載のＬＥＤ表示装置。
【請求項７】
ミラーを更に備え、
前記ミラーは、前記複数のＬＥＤの少なくとも一部からの光を前記カメラに向けて反射するように配置されており、
前記カメラは、前記カメラの撮像範囲に前記ミラーの少なくとも一部が入るように配置されている、
請求項１に記載のＬＥＤ表示装置。
【請求項８】
前記ＬＥＤユニットの周囲の少なくとも一部に配置された庇を更に備え、
前記ミラーは、前記庇に取り付けられている、
請求項７に記載のＬＥＤ表示装置。
【請求項９】
前記ＬＥＤユニットの周囲の少なくとも一部に配置された庇を更に備え、
前記庇の前記ＬＥＤユニット側の面の少なくとも一部が、前記ミラーとなっている、
請求項７に記載のＬＥＤ表示装置。
【請求項１０】
前記ＬＥＤユニットを収容して前面に開口が形成された筐体を更に備え、
前記ＬＥＤユニットは、前記複数のＬＥＤが前記開口から見えるように配置されており、
前記ＬＥＤユニットと前記筐体との間に隙間が形成されており、
前記カメラは、前記筐体の内側の、前記ミラーと前記隙間とを通る直線上に配置されている、
請求項７〜９の何れか一項に記載のＬＥＤ表示装置。
【請求項１１】
前記ＬＥＤユニットを収容して前面に開口が形成された筐体を更に備え、
前記筐体には、前記筐体の内外を貫通する穴が形成されており、
前記カメラは、前記筐体の内側の、前記ミラーと前記穴とを通る直線上に配置されている、
請求項７〜９の何れか一項に記載のＬＥＤ表示装置。
【請求項１２】
前記ＬＥＤユニットは、第一方向に長い矩形状に形成されており、
前記ミラーは、前記ＬＥＤユニットの前記第一方向における一方側に配置されている、請求項７〜１１の何れか一項に記載のＬＥＤ表示装置。
【請求項１３】
前記カメラの撮像画像を送信する送信装置を更に備える、
請求項１〜１２の何れか一項に記載のＬＥＤ表示装置。
【考案の詳細な説明】
【技術分野】
【０００１】
本考案は、交通用等に用いられるＬＥＤ表示装置に関する。
【背景技術】
【０００２】
特許文献１には、複数のＬＥＤを一行ずつ又は一列ずつ発光させ、その際に複数のＬＥＤの駆動制御回路に流れる電流を検出することで、ＬＥＤの動作確認を行うＬＥＤ表示装置が記載されている。
【先行技術文献】
【特許文献】
【０００３】
【特許文献１】実開平０５−０６９９６０号公報
【考案の概要】
【考案が解決しようとする課題】
【０００４】
特許文献１に記載されたＬＥＤ表示装置は、駆動制御回路に電流計を組み込む必要があり、また、通常の点灯制御とは別にＬＥＤの動作確認を行うための点灯制御を行う必要があるため、装置が複雑になるという問題がある。
【０００５】
そこで、本考案は、簡易な構成で点灯を確認することができるＬＥＤ表示装置を提供することを課題とする。
【課題を解決するための手段】
【０００６】
本考案者は、上記課題について鋭意検討した結果、次のような知見を得た。複数のＬＥＤを備えたＬＥＤ表示装置においては、ＬＥＤ表示装置は点灯するがＬＥＤ表示装置の表示パターンが異常というケースは稀であり、モジュール単位で点灯しない、又は全てが点灯しないというケースが大半を占めていた。これは、一部のＬＥＤの点灯を確認することで、実質的にＬＥＤ表示装置の点灯を確認できることを意味する。そこで、本考案は、ＬＥＤ表示装置における少なくとも一部のＬＥＤを撮像するものとすることで、上記課題を解決した。
【０００７】
すなわち、本考案に係るＬＥＤ表示装置は、複数のＬＥＤを有するＬＥＤユニットと、複数のＬＥＤの少なくとも一部を撮像するカメラと、を備える。このＬＥＤ表示装置では、カメラが複数のＬＥＤの少なくとも一部を撮像するため、カメラの撮像画像を監視することで、ＬＥＤ表示装置の点灯を確認することができる。これにより、簡易な構成でＬＥＤ表示装置の点灯を確認することができる。
【０００８】
カメラは、カメラの撮像範囲に複数のＬＥＤの少なくとも一部が入るように配置されていてもよい。このＬＥＤ表示装置では、複数のＬＥＤの少なくとも一部がカメラの撮像範囲に入るため、複数のＬＥＤの少なくとも一部をカメラにより直接的に撮像することができる。
【０００９】
ＬＥＤユニットは平板状に形成されて、ＬＥＤユニットの主面に複数のＬＥＤが配列されており、カメラは、ＬＥＤユニットの主面に沿う方向に向けられていてもよい。このＬＥＤ表示装置では、カメラがＬＥＤユニットの主面に沿う方向に向けられているため、カメラで多くのＬＥＤを撮像することができる。
【００１０】
ＬＥＤユニットの周囲の少なくとも一部に配置された庇を更に備え、カメラは、庇に取り付けられていてもよい。このＬＥＤ表示装置では、庇にカメラが取り付けられているため、カメラの設置を容易に行うことができる。しかも、庇にカメラが取り付けられることで、ＬＥＤユニットの主面と直交する方向におけるＬＥＤユニットとカメラとの距離を容易に長くすることができるため、カメラで多くのＬＥＤを撮像することができる。
【００１１】
ＬＥＤユニットを収容して前面に開口が形成された筐体を更に備え、ＬＥＤユニットは、複数のＬＥＤが開口から見えるように配置されており、ＬＥＤユニットと筐体との間に、ＬＥＤユニットの主面と直交する方向の隙間が形成されており、カメラは、筐体内に配置されるとともに、隙間を通して、カメラの撮像範囲に複数のＬＥＤの少なくとも一部が入るように配置されていてもよい。このＬＥＤ表示装置では、ＬＥＤユニットと筐体との間にＬＥＤユニットの主面と直交する方向の隙間が形成されているため、筐体の内側に配置されたカメラの撮像範囲に、複数のＬＥＤの少なくとも一部を入れることができる。
【００１２】
ＬＥＤユニットは、第一方向に長い矩形状に形成されており、カメラは、ＬＥＤユニットの第一方向における一方側に配置されていてもよい。このＬＥＤ表示装置では、ＬＥＤユニットが第一方向に長い矩形状に形成されており、カメラがＬＥＤユニットの第一方向における一方側に配置されているため、カメラで多くのＬＥＤを撮像することができる。
【００１３】
ミラーを更に備え、ミラーは、複数のＬＥＤの少なくとも一部からの光をカメラに向けて反射するように配置されており、カメラは、カメラの撮像範囲にミラーの少なくとも一部が入るように配置されていてもよい。このＬＥＤ表示装置では、ミラーが複数のＬＥＤの少なくとも一部からの光をカメラに向けて反射し、ミラーの少なくとも一部がカメラの撮像範囲に入るため、ミラーを介して複数のＬＥＤの少なくとも一部をカメラにより間接的に撮像することができる。
【００１４】
ＬＥＤユニットの周囲の少なくとも一部に配置された庇を更に備え、ミラーは、庇に取り付けられていてもよい。このＬＥＤ表示装置では、庇にミラーが取り付けられているため、ミラーの設置を容易に行うことができる。
【００１５】
ＬＥＤユニットの周囲の少なくとも一部に配置された庇を更に備え、庇のＬＥＤユニット側の面の少なくとも一部が、ミラーとなっていてもよい。このＬＥＤ表示装置では、庇のＬＥＤユニット側の面の少なくとも一部がミラーとなっているため、シンプルな構造とすることができる。
【００１６】
ＬＥＤユニットを収容して前面に開口が形成された筐体を更に備え、ＬＥＤユニットは、複数のＬＥＤが開口から見えるように配置されており、ＬＥＤユニットと筐体との間に隙間が形成されており、カメラは、筐体の内側の、ミラーと隙間とを通る直線上に配置されていてもよい。このＬＥＤ表示装置では、カメラが、筐体の内側の、ミラーと隙間とを通る直線上に配置されているため、筐体の内側に配置されたカメラの撮像範囲にミラーの少なくとも一部を入れることができる。
【００１７】
ＬＥＤユニットを収容して前面に開口が形成された筐体を更に備え、筐体には、筐体の内外を貫通する穴が形成されており、カメラは、筐体の内側の、ミラーと穴とを通る直線上に配置されていてもよい。このＬＥＤ表示装置では、カメラが、筐体の内側の、ミラーと穴とを通る直線上に配置されているため、筐体の内側に配置されたカメラの撮像範囲にミラーの少なくとも一部を入れることができる。また、カメラは、筐体の穴を通してミラーの少なくとも一部を撮像することができるため、カメラの配置自由度が高くなる。
【００１８】
ＬＥＤユニットは、第一方向に長い矩形状に形成されており、ミラーは、ＬＥＤユニットの第一方向における一方側に配置されていてもよい。このＬＥＤ表示装置では、ＬＥＤユニットが第一方向に長い矩形状に形成されており、ミラーがＬＥＤユニットの第一方向における一方側に配置されているため、カメラで多くのＬＥＤを撮像することができる。
【００１９】
カメラの撮像画像を送信する送信装置を更に備えてもよい。このＬＥＤ表示装置では、送信装置からカメラの撮像画像を外部に送信することで、ＬＥＤ表示装置の点灯を遠隔監視することができる。
【考案の効果】
【００２０】
本考案によれば、簡易な構成で点灯を確認することができる。
【図面の簡単な説明】
【００２１】
【図１】第一実施形態に係るＬＥＤ表示装置の斜視図である。
【図２】第一実施形態に係るＬＥＤ表示装置の縦断面図である。
【図３】第二実施形態に係るＬＥＤ表示装置の縦断面図である。
【図４】変形例に係るＬＥＤ表示装置の縦断面図である。
【図５】変形例に係るＬＥＤ表示装置の縦断面図である。
【図６】変形例に係るＬＥＤ表示装置の縦断面図である。
【図７】変形例に係るＬＥＤ表示装置の縦断面図である。
【図８】変形例に係るＬＥＤ表示装置の縦断面図である。
【図９】変形例に係るＬＥＤ表示装置の縦断面図である。
【考案を実施するための形態】
【００２２】
以下、図面を参照して、本考案に係るＬＥＤ表示装置の実施形態について詳細に説明する。なお、全図中、同一または相当部分には同一符号を付し、重複する説明を省略する。
【００２３】
［第一実施形態］
図１は、第一実施形態に係るＬＥＤ表示装置の斜視図であり、図２は、第一実施形態に係るＬＥＤ表示装置の縦断面図である。図１及び図２に示すように、第一実施形態に係るＬＥＤ表示装置１Ａは、交通用等に用いられる表示装置であり、例えば、道路脇等に設置される。ＬＥＤ表示装置１Ａは、筐体２と、基台３と、ＬＥＤユニット４と、第一カメラ５Ａと、送受信装置６と、庇７と、を備える。なお、図示しないが、ＬＥＤ表示装置１Ａは、ＬＥＤユニット４を点灯制御する制御部や電源等の装置も備える。
【００２４】
筐体２は、ＬＥＤ表示装置１Ａの概略外形を成す部位である。筐体２は、箱型に形成されている。筐体２の前面には、表示部となる開口２１が形成されている。
【００２５】
基台３は、筐体２を道路脇等の設置面に設置するための部位である。基台３は、筐体２の底面から下方に向けて棒状に延びている。基台３の下端部は、特に限定されるものではないが、例えば、安定化のために、拡径化された錘となっている。
【００２６】
ＬＥＤユニット４は、ＬＥＤユニット４の概略外形を成す基板４１と、基板４１に搭載された複数のＬＥＤ４２と、を有する。ＬＥＤユニット４は、第一方向Ｄ１に長く、第二方向Ｄ２に短く、第三方向Ｄ３に面した、矩形の平板状に形成されている。つまり、基板４１は、第一方向Ｄ１に長く、第二方向Ｄ２に短く、第三方向Ｄ３に面した、矩形の平板状に形成されている。本実施形態では、第一方向Ｄ１は、ＬＥＤ表示装置１の上下方向であり、第二方向Ｄ２は、ＬＥＤ表示装置１の幅方向であり、第三方向Ｄ３は、ＬＥＤ表示装置１の前後方向であって、ＬＥＤユニット４が面する方向である。複数のＬＥＤ４２は、ＬＥＤユニット４の主面４３に配列されている。ＬＥＤユニット４の主面４３は、基板４１の主面でもある。ＬＥＤユニット４の主面４３は、第一方向Ｄ１及び第二方向Ｄ２に沿った面であり、第三方向Ｄ３は、ＬＥＤユニット４の主面４３に直交する方向である。複数のＬＥＤ４２は、格子状に配列されており、図示しない制御部により点灯制御されることで、交通用の様々な情報を表示することが可能となっている。ＬＥＤユニット４は、複数のＬＥＤ４２が筐体２の開口２１から見えるように、筐体２に収容されている。なお、筐体２の開口２１には、透明なカバーが取り付けられていてもよい。
【００２７】
第一カメラ５Ａは、複数のＬＥＤ４２の少なくとも一部を撮像する撮像装置である。第一カメラ５Ａとしては、例えば、ＣＣＤカメラが用いられる。第一カメラ５Ａは、第一カメラ５Ａの撮像範囲に複数のＬＥＤ４２の少なくとも一部が入るように配置されている。つまり、第一カメラ５Ａは、複数のＬＥＤ４２の少なくとも一部を直接的に撮像するように配置されている。第一カメラ５Ａは、全てのＬＥＤ４２を撮像するように配置されていてもよく、一部のＬＥＤ４２のみを撮像するように配置されていてもよい。
【００２８】
具体的に説明すると、第一カメラ５Ａは、ＬＥＤユニット４の第一方向Ｄ１における上方側に配置されている。第一カメラ５Ａは、筐体２の外側に配置されて、ＬＥＤユニット４の主面４３に沿う方向に向けられている。ＬＥＤユニット４の主面４３に沿う方向は、ＬＥＤユニット４の主面４３と略平行な方向である。第一カメラ５ＡがＬＥＤユニット４の主面４３に沿う方向に向けられているとは、第一カメラ５Ａの画角内の何れかの方向がＬＥＤユニット４の主面４３に沿う方向に向いていることをいう。第一カメラ５Ａは、例えば、撮像素子を備えた基板５１Ａと、基板５１Ａに搭載されたレンズ５２Ａと、を備える。そして、レンズ５２ＡがＬＥＤユニット４の主面４３に沿う方向に向けられるように、基板５１Ａが筐体２に取り付けられている。
【００２９】
送受信装置６は、ＬＥＤ表示装置１Ａの外部装置（不図示）との間で各種データを送受信するための装置である。このため、送受信装置６は、送信装置としても機能し、受信装置としても機能する。例えば、送受信装置６は、外部装置から、ＬＥＤ表示装置１Ａに表示させる表示情報を受信する。送受信装置６が表示情報を受信すると、制御部は、複数のＬＥＤ４２の点灯制御を行うことで、ＬＥＤ表示装置１Ａに表示情報を表示させる。また、送受信装置６は、第一カメラ５Ａが撮像した画像を外部装置に送信する。外部装置は、送受信装置６から送信された画像を監視することで、ＬＥＤ表示装置１Ａの点灯を確認する。なお、監視装置は、ＬＥＤ表示装置１Ａに送信した表示情報とＬＥＤ表示装置１Ａから送信された画像とを対比してもよいが、単に、ＬＥＤ表示装置１Ａから送信された画像において何れかのＬＥＤ４２が点灯していることを確認するだけでもよい。
【００３０】
庇７は、太陽光の差し込みや雪の付着等によりＬＥＤ表示装置１Ａに表示された表示情報が見難くなるのを抑制するための部位である。庇７は、ＬＥＤユニット４の周囲の少なくとも一部に配置されて、筐体２の前方に突出している。本実施形態では、庇７は、ＬＥＤユニット４の上、右、及び左に配置されている。つまり、庇７は、ＬＥＤユニット４の上方に配置される庇上部７１と、ＬＥＤユニット４の右方に配置される庇右部７２と、ＬＥＤユニット４の左方に配置される庇左部７３と、を備える。
【００３１】
このように、本実施形態に係るＬＥＤ表示装置１Ａでは、第一カメラ５Ａが複数のＬＥＤ４２の少なくとも一部を撮像するため、第一カメラ５Ａの撮像画像を監視することで、ＬＥＤ表示装置１Ａの点灯を確認することができる。これにより、簡易な構成でＬＥＤ表示装置１Ａの点灯を確認することができる。
【００３２】
また、このＬＥＤ表示装置１Ａでは、複数のＬＥＤ４２の少なくとも一部が第一カメラ５Ａの撮像範囲に入るため、複数のＬＥＤ４２の少なくとも一部を第一カメラ５Ａにより直接的に撮像することができる。
【００３３】
また、このＬＥＤ表示装置１Ａでは、第一カメラ５ＡがＬＥＤユニット４の主面４３に沿う方向に向けられているため、第一カメラ５Ａで多くのＬＥＤ４２を撮像することができる。
【００３４】
また、このＬＥＤ表示装置１Ａでは、ＬＥＤユニット４が第一方向Ｄ１に長い矩形状に形成されており、第一カメラ５ＡがＬＥＤユニット４の第一方向Ｄにおける上方側に配置されているため、第一カメラ５Ａで多くのＬＥＤ４２を撮像することができる。
【００３５】
［第二実施形態］
次に、第二実施形態に係るＬＥＤ表示装置について説明する。第二実施形態は、基本的に第一実施形態（図２参照）と同様であり、ミラーを備えてカメラの配置が異なる点のみ、第一実施形態と相違する。このため、以下では、第一実施形態と相違する点のみを説明し、第一実施形態と同様の点の説明を省略する。
【００３６】
図３は、第二実施形態に係るＬＥＤ表示装置の縦断面図である。図１及び図３に示すように、第二実施形態に係るＬＥＤ表示装置１Ｂは、筐体２と、基台３と、ＬＥＤユニット４と、第二カメラ５Ｂと、送受信装置６と、庇７と、ミラー８と、を備える。
【００３７】
ミラー８は、複数のＬＥＤ４２の少なくとも一部からの光を第二カメラ５Ｂに向けて反射するように配置されている。ミラー８は、全てのＬＥＤ４２からの光を第二カメラ５Ｂに向けて反射するように配置されていてもよく、一部のＬＥＤ４２のみからの光を第二カメラ５Ｂに向けて反射するように配置されていてもよい。第二カメラ５Ｂは、第二カメラ５Ｂの撮像範囲にミラー８の少なくとも一部が入るように配置されている。つまり、第二カメラ５Ｂは、ミラー８を介して複数のＬＥＤ４２の少なくとも一部を間接的に撮像するように配置されている。
【００３８】
具体的に説明すると、ミラー８は、ＬＥＤユニット４の第一方向Ｄ１における上方側に配置されている。ミラー８は、支持部材８１により庇上部７１の下面に取り付けられている。第二カメラ５Ｂは、ＬＥＤユニット４の上方に配置されている。第二カメラ５Ｂは、筐体２の外側に配置されているとともに、第二カメラ５Ｂの撮像範囲にミラー８の少なくとも一部が入るように配置されている。例えば、ＬＥＤユニット４の主面４３と直交する方向から見た場合に、第二カメラ５Ｂとミラー８とが重なる位置に配置されて、第二カメラ５ＢがＬＥＤユニット４の主面４３と直交する方向に沿う方向に向けられていてもよい。ＬＥＤユニット４の主面４３と直交する方向に沿う方向は、ＬＥＤユニット４の主面４３と略直交する方向である。第二カメラ５Ｂは、例えば、撮像素子を備えた基板５１Ｂと、基板５１Ｂに搭載されたレンズ５２Ｂと、を備える。そして、レンズ５２Ｂがミラー８に向けられるように、基板５１Ｂが筐体２の外側に取り付けられている。
【００３９】
このように、本実施形態に係るＬＥＤ表示装置１Ｂでは、第二カメラ５Ｂが複数のＬＥＤ４２の少なくとも一部を撮像するため、第二カメラ５Ｂの撮像画像を監視することで、ＬＥＤ表示装置１Ａの点灯を確認することができる。これにより、簡易な構成でＬＥＤ表示装置１Ａの点灯を確認することができる。
【００４０】
また、このＬＥＤ表示装置１Ｂでは、ミラー８が、複数のＬＥＤ４２の少なくとも一部からの光を第二カメラ５Ｂに向けて反射し、ミラー８の少なくとも一部が、第二カメラ５Ｂの撮像範囲に入るため、ミラー８を介して複数のＬＥＤ４２の少なくとも一部を第二カメラ５Ｂにより間接的に撮像することができる。
【００４１】
また、このＬＥＤ表示装置１Ｂでは、ＬＥＤユニット４が第一方向Ｄ１に長い矩形状に形成されており、ミラー８がＬＥＤユニット４の第一方向Ｄにおける上方側に配置されているため、第一カメラ５Ａで多くのＬＥＤ４２を撮像することができる。
【００４２】
以上、本考案の好適な実施形態について説明したが、本考案は上記実施形態に限定されるものではない。
【００４３】
例えば、第一実施形態では、第一カメラ５Ａは、ＬＥＤユニット４の上方に配置されて筐体２に取り付けられているものとして説明したが、第一カメラは、複数のＬＥＤの少なくとも一部を撮像することができれば、如何なる位置に配置されてもよく、如何なる部材に取り付けられていてもよい。例えば、図４に示すＬＥＤ表示装置１Ｃのように、第一カメラ５Ａは、ＬＥＤユニット４の下方に配置されていてもよく、図５に示すＬＥＤ表示装置１Ｄのように、第一カメラ５Ａは、庇上部７１に取り付けられていてもよい。
【００４４】
図４に示すＬＥＤ表示装置１Ｃでは、第一カメラ５Ａは、第一カメラ５Ａの撮像範囲に複数のＬＥＤ４２の少なくとも一部が入るように、ＬＥＤユニット４の第一方向Ｄ１における下方側に配置されている。第一カメラ５Ａは、筐体２の外側に配置されて、ＬＥＤユニット４の主面４３に沿う方向に向けられている。第一カメラ５Ａは、例えば、撮像素子を備えた基板５１Ａと、基板５１Ａに搭載されたレンズ５２Ａと、を備える。そして、レンズ５２ＡがＬＥＤユニット４の主面４３に沿う方向に向けられるように、基板５１Ａが筐体２に取り付けられている。
【００４５】
図５に示すＬＥＤ表示装置１Ｄでは、第一カメラ５Ａは、第一カメラ５Ａの撮像範囲に複数のＬＥＤ４２の少なくとも一部が入るように、ＬＥＤユニット４の第一方向Ｄ１における上方側に配置されている。第一カメラ５Ａは、筐体２の外側に配置されて、庇上部７１の下面に取り付けられて、ＬＥＤユニット４の主面４３に沿う方向に向けられている。庇上部７１の下面とは、庇上部７１のＬＥＤユニット４側の面である。第一カメラ５Ａは、例えば、撮像素子を備えた基板５１Ａと、基板５１Ａに搭載されたレンズ５２Ａと、を備える。そして、レンズ５２ＡがＬＥＤユニット４の主面４３に沿う方向に向けられるように、基板５１Ａが庇上部７１の下面に取り付けられている。なお、第一カメラ５Ａは、庇７の庇上部７１以外の部分に取り付けられていてもよい。
【００４６】
このように、図５に示すＬＥＤ表示装置１Ｄでは、庇７に第一カメラ５Ａが取り付けられているため、第一カメラ５Ａの設置を容易に行うことができる。しかも、庇７に第一カメラ５Ａが取り付けられることで、ＬＥＤユニット４の主面４３と直交する方向におけるＬＥＤユニット４と第一カメラ５Ａとの距離を容易に長くすることができるため、第一カメラ５Ａで多くのＬＥＤ４２を撮像することができる。
【００４７】
また、例えば、第二実施形態では、ミラー８は、支持部材８１により庇上部７１に取り付けられるものとして説明したが、ミラー８は、複数のＬＥＤ４２の少なくとも一部からの光を第二カメラ５Ｂに向けて反射することができれば、如何なる部材に取り付けられていてもよく、如何なる構造であってもよい。例えば、図６に示すＬＥＤ表示装置１Ｅのように、庇のＬＥＤユニット側の面の少なくとも一部が、ミラーとなっていてもよい。
【００４８】
図６に示すＬＥＤ表示装置１Ｅでは、庇７Ｅは、ＬＥＤユニット４の上方に配置される庇上部７１Ｅと、ＬＥＤユニット４の右方に配置される庇右部７２と、ＬＥＤユニット４の左方に配置される庇左部７３と、を備える。庇上部７１Ｅは、ＬＥＤユニット４の主面４３と直交する方向に延びる基部７４Ｅと、基部７４Ｅの先端から下方に傾斜する方向に延びる傾斜部７５Ｅと、を有する。そして、傾斜部７５Ｅの下面、すなわち傾斜部７５ＥのＬＥＤユニット４側の面が、ミラー８Ｅとなっている。ミラー８Ｅは、例えば、傾斜部７５ＥのＬＥＤユニット４側の面に貼り付けられている。そして、ミラー８Ｅが複数のＬＥＤ４２の少なくとも一部からの光を第二カメラ５Ｂに向けて反射するように、傾斜部７５Ｅの位置及び傾斜角度が設定されている。また、第二カメラ５Ｂは、第二カメラ５Ｂの撮像範囲にミラー８Ｅの少なくとも一部が入るように配置されている。
【００４９】
なお、庇上部７１Ｅの全体が傾斜部７５Ｅとなって、傾斜部７５ＥのＬＥＤユニット４側の面の少なくとも一部がミラー８Ｅとなっていてもよい。また、庇右部７２又は庇左部７３のＬＥＤユニット４側の面の少なくとも一部がミラーとなっていてもよい。
【００５０】
このように、図６に示すＬＥＤ表示装置１Ｅでは、庇上部７１ＥのＬＥＤユニット４側の面の少なくとも一部がミラー８Ｅとなっているため、シンプルな構造とすることができる。
【００５１】
また、例えば、図７に示すＬＥＤ表示装置１Ｆのように、第一実施形態の第一カメラ５Ａ及び第二実施形態の第二カメラ５Ｂの双方を備えるものであってもよい。図７に示すＬＥＤ表示装置１Ｆは、筐体２と、基台３と、ＬＥＤユニット４と、第一実施形態と同様の第一カメラ５Ａと、第二実施形態と同様の第二カメラ５Ｂと、送受信装置６と、庇７と、ミラー８と、を備える。
【００５２】
また、例えば、第一実施形態及び第二実施形態では、第一カメラ５Ａ及び第二カメラ５Ｂが筐体２の外側に配置されるものとして説明したが、第一カメラ及び第二カメラの一部又は全部が筐体の内側に配置されるものであってもよい。例えば、図８に示すＬＥＤ表示装置１Ｇ及び図９に示すＬＥＤ表示装置１Ｈのように、第一カメラ及び第二カメラの全部が筐体の内側に配置されていてもよい。
【００５３】
図８に示すＬＥＤ表示装置１Ｇは、筐体２Ｇと、基台３と、ＬＥＤユニット４と、第一カメラ５Ｃと、第二カメラ５Ｄと、送受信装置６と、庇７と、ミラー８と、を備える。
【００５４】
筐体２Ｇは、ＬＥＤ表示装置１Ｇの概略外形を成す部位である。筐体２Ｇは、箱型に形成されている。筐体２Ｇの前面には、表示部となる開口２１Ｇが形成されている。そして、ＬＥＤユニット４の下端と筐体２Ｇとの間に、第三方向Ｄ３（ＬＥＤユニット４の主面４３と直交する方向）の隙間２２Ｇが形成されるとともに、ＬＥＤユニット４の上端と筐体２Ｇとの間に、第一方向Ｄ１及び第三方向Ｄ３の隙間２３Ｇが形成されている。つまり、ＬＥＤユニット４の下端と筐体２Ｇとは、隙間２２Ｇにより、第三方向Ｄ３に離間しており、ＬＥＤユニット４の上端と筐体２Ｇとは、隙間２３Ｇにより、第一方向Ｄ１に離間している。なお、ＬＥＤユニット４の下端と筐体２Ｇとは、隙間２２Ｇにより、第一方向Ｄ１にも離間していてもよい。第二方向Ｄ２（図１参照）における隙間２２Ｇ及び隙間２３Ｇの長さは特に限定されるものではない。第二方向Ｄ２における隙間２２Ｇ及び隙間２３Ｇの長さは、第二方向Ｄ２における開口２１Ｇの長さと同じであってもよく、第二方向Ｄ２における開口２１Ｇの長さよりも短くてもよい。そして、ＬＥＤユニット４は、隙間２２Ｇ及び隙間２３Ｇが形成されるように、筐体２Ｇに収容されている。
【００５５】
第一カメラ５Ｃは、複数のＬＥＤ４２の少なくとも一部を撮像する撮像装置である。第一カメラ５Ｃは、隙間２２Ｇを通して、第一カメラ５Ａの撮像範囲に複数のＬＥＤ４２の少なくとも一部が入るように配置されている。
【００５６】
具体的に説明すると、第一カメラ５Ｃは、筐体２Ｇの内側の、ＬＥＤユニット４の第一方向Ｄ１における下側に配置されている。また、第一カメラ５Ｃは、隙間２２Ｇから、ＬＥＤユニット４の主面４３に沿う方向に向けられている。第一カメラ５Ｃは、例えば、撮像素子を備えた基板５１Ｃと、基板５１Ｃに搭載されたレンズ５２Ｃと、を備える。そして、レンズ５２Ｃが隙間２２Ｇを通ってＬＥＤユニット４の主面４３に沿う方向に向けられるように、基板５１Ｃが筐体２Ｇの内側に取り付けられている。
【００５７】
ミラー８は、複数のＬＥＤ４２の少なくとも一部からの光を第二カメラ５Ｄに向けて反射するように配置されている。第二カメラ５Ｄは、第二カメラ５Ｄの撮像範囲にミラー８の少なくとも一部が入るように配置されている。
【００５８】
具体的に説明すると、ミラー８は、第一方向Ｄ１におけるＬＥＤユニット４の上方側に配置されている。ミラー８は、支持部材８１により庇上部７１の下面に取り付けられている。第二カメラ５Ｄは、ＬＥＤユニット４の上方に配置されている。第二カメラ５Ｄは、筐体２Ｇの内側の、ミラー８と隙間２３Ｇとを通る直線上に配置されている。つまり、第二カメラ５Ｄは、隙間２３Ｇを通して、第二カメラ５Ｄの撮像範囲にミラー８の少なくとも一部が入るように配置されている。例えば、ＬＥＤユニット４の主面４３と直交する方向から見た場合に、第二カメラ５Ｄ、隙間２３Ｇ、及びミラー８が重なる位置に配置されて、第二カメラ５ＤがＬＥＤユニット４の主面４３と直交する方向に沿う方向に向けられていてもよい。第二カメラ５Ｄは、例えば、撮像素子を備えた基板５１Ｄと、基板５１Ｄに搭載されたレンズ５２Ｄと、を備える。そして、レンズ５２Ｄが隙間２３Ｇを通ってミラー８に向けられるように、基板５１Ｄが筐体２Ｇの内側に取り付けられている。
【００５９】
このように、図８に示すＬＥＤ表示装置１Ｇでは、ＬＥＤユニット４と筐体２Ｇとの間にＬＥＤユニット４の主面４３と直交する方向の隙間２２Ｇが形成されているため、筐体２Ｇの内側に配置された第一カメラ５Ｃの撮像範囲に、複数のＬＥＤ４２の少なくとも一部を入れることができる。
【００６０】
また、このＬＥＤ表示装置１Ｇでは、第二カメラ５Ｄが、筐体２Ｇの内側の、ミラー８と隙間２３Ｇとを通る直線上に配置されているため、筐体２Ｇの内側に配置された第二カメラ５Ｄの撮像範囲にミラー８の少なくとも一部を入れることができる。
【００６１】
図９に示すＬＥＤ表示装置１Ｈは、筐体２Ｈと、基台３と、ＬＥＤユニット４と、第一カメラ５Ｃと、第二カメラ５Ｄと、送受信装置６と、庇７Ｈと、ミラー８Ｈと、を備える。
【００６２】
筐体２Ｈは、ＬＥＤ表示装置１Ｈの概略外形を成す部位である。筐体２Ｈは、箱型に形成されている。筐体２Ｈの前面には、表示部となる開口２１Ｈが形成されている。そして、ＬＥＤユニット４の下端と筐体２Ｈとの間に、第三方向Ｄ３（ＬＥＤユニット４の主面４３と直交する方向）の隙間２２Ｈが形成されている。つまり、ＬＥＤユニット４の下端と筐体２Ｈとは、隙間２２Ｈにより、第三方向Ｄ３に離間している。なお、ＬＥＤユニット４の下端と筐体２Ｈとは、隙間２２Ｈにより、第一方向Ｄ１にも離間していてもよい。第二方向Ｄ２（図１参照）における隙間２２Ｈの長さは特に限定されるものではない。第二方向Ｄ２における隙間２２Ｈの長さは、第二方向Ｄ２における開口２１Ｈの長さと同じであってもよく、第二方向Ｄ２における開口２１Ｈの長さよりも短くてもよい。また、第一方向Ｄ１におけるＬＥＤユニット４の上側において、筐体２Ｈに穴２３Ｈが形成されている。穴２３Ｈは、開口２１Ｈの上方において、筐体２Ｈの内外を貫通している。
【００６３】
庇７Ｈは、ＬＥＤユニット４の上方に配置される庇上部７１Ｈと、ＬＥＤユニット４の右方に配置される庇右部７２と、ＬＥＤユニット４の左方に配置される庇左部７３と、を備える。庇上部７１Ｈは、ＬＥＤユニット４の主面４３と直交する方向に延びる基部７４Ｈと、基部７４Ｈの先端から下方に傾斜する方向に延びる傾斜部７５Ｈと、を有する。そして、傾斜部７５Ｈの下面、すなわち傾斜部７５ＨのＬＥＤユニット４側の面が、ミラー８Ｈとなっている。
【００６４】
第一カメラ５Ｃは、複数のＬＥＤ４２の少なくとも一部を撮像する撮像装置である。第一カメラ５Ｃは、隙間２２Ｈを通して、第一カメラ５Ａの撮像範囲に複数のＬＥＤ４２の少なくとも一部が入るように配置されている。
【００６５】
具体的に説明すると、第一カメラ５Ｃは、筐体２Ｈの内側の、ＬＥＤユニット４の第一方向Ｄ１における下側に配置されている。また、第一カメラ５Ｃは、隙間２２Ｈを通して、ＬＥＤユニット４の主面４３に沿う方向に向けられている。第一カメラ５Ｃは、例えば、撮像素子を備えた基板５１Ｃと、基板５１Ｃに搭載されたレンズ５２Ｃと、を備える。そして、レンズ５２Ｃが隙間２２Ｈを通ってＬＥＤユニット４の主面４３に沿う方向に向けられるように、基板５１Ｃが筐体２Ｈの内側に取り付けられている。
【００６６】
ミラー８Ｈは、複数のＬＥＤ４２の少なくとも一部からの光を第二カメラ５Ｄに向けて反射するように配置されている。つまり、ミラー８Ｈが複数のＬＥＤ４２の少なくとも一部からの光を第二カメラ５Ｄに向けて反射するように、傾斜部７５Ｈの位置及び傾斜角度が設定されている。第二カメラ５Ｄは、第二カメラ５Ｄの撮像範囲にミラー８Ｈの少なくとも一部が入るように配置されている。
【００６７】
具体的に説明すると、ミラー８Ｈは、第一方向Ｄ１におけるＬＥＤユニット４の上方側に配置されている。ミラー８Ｈは、支持部材８１により庇上部７１の下面に取り付けられている。第二カメラ５Ｄは、ＬＥＤユニット４の上方に配置されている。第二カメラ５Ｄは、筐体２Ｈの内側の、ミラー８Ｈと穴２３Ｈとを通る直線上に配置されている。つまり、第二カメラ５Ｄは、穴２３Ｈを通して、第二カメラ５Ｄの撮像範囲にミラー８Ｈの少なくとも一部が入るように配置されている。例えば、ＬＥＤユニット４の主面４３と直交する方向から見た場合に、第二カメラ５Ｄ、穴２３Ｈ、及びミラー８Ｈが重なる位置に配置されて、第二カメラ５ＤがＬＥＤユニット４の主面４３と直交する方向に沿う方向に向けられていてもよい。第二カメラ５Ｄは、例えば、撮像素子を備えた基板５１Ｄと、基板５１Ｄに搭載されたレンズ５２Ｄと、を備える。そして、レンズ５２Ｄが穴２３Ｈを通ってミラー８Ｈに向けられるように、基板５１Ｄが筐体２Ｈの内側に取り付けられている。
【００６８】
このように、図９に示すＬＥＤ表示装置１Ｈでは、ＬＥＤユニット４と筐体２Ｈとの間にＬＥＤユニット４の主面４３と直交する方向の隙間２２Ｈが形成されているため、筐体２Ｈの内側に配置された第一カメラ５Ｃの撮像範囲に、複数のＬＥＤ４２の少なくとも一部を入れることができる。
【００６９】
また、このＬＥＤ表示装置１Ｈでは、第二カメラ５Ｄが、筐体２Ｈの内側の、ミラー８Ｈと穴２３Ｈとを通る直線上に配置されているため、筐体２Ｈの内側に配置された第二カメラ５Ｄの撮像範囲にミラー８Ｈの少なくとも一部を入れることができる。また、第二カメラＤ５は、筐体２Ｈの穴２３Ｈを通してミラー８Ｈの少なくとも一部を撮像することができるため、第二カメラ５Ｄの配置自由度が高くなる。
【００７０】
また、上記の各実施形態では、第一カメラは、ＬＥＤユニットの主面に沿う方向に向けられるものとして説明したが、第一カメラは、複数のＬＥＤの少なくとも一部を撮像することができれば、如何なる方向に向けられていてもよい。
【００７１】
また、上記の各実施形態では、庇を備えるものとして説明したが、庇を備えないものであってもよい。
【符号の説明】
【００７２】
１Ａ，１Ｂ，１Ｃ，１Ｄ，１Ｅ，１Ｆ，１Ｇ，１Ｈ…ＬＥＤ表示装置、２，２Ｇ，２Ｈ…筐体、３…基台、４…ＬＥＤユニット、５Ａ，５Ｃ…第一カメラ、５Ｂ，５Ｄ…第二カメラ、６…送受信装置、７，７Ｅ，７Ｈ…庇、８，８Ｅ，８Ｈ…ミラー、２１，２１Ｇ，２１Ｈ…開口、２２Ｇ，２２Ｈ…隙間、２３Ｇ…隙間、２３Ｈ…穴、４１…基板、４２…ＬＥＤ、４３…主面、５１Ａ，５１Ｂ，５１Ｃ，５１Ｄ…基板、５２Ａ，５２Ｂ，５２Ｃ，５２Ｄ…レンズ、７２…庇右部、７３…庇左部、７４Ｅ，７４Ｈ…基部、７５Ｅ，７５Ｈ…傾斜部、８１…支持部材。
【図１】
0003233931.tif 000003
【図２】
0003233931.tif 000004
【図３】
0003233931.tif 000005
【図４】
0003233931.tif 000006
【図５】
0003233931.tif 000007
【図６】
0003233931.tif 000008
【図７】
0003233931.tif 000009
【図８】
0003233931.tif 000010
【図９】
0003233931.tif 000011